(57)【要約】【課題】ガスメータを交換する際、既設配管の管用継手が屈曲して形成されたものであっても、既設配管を固定できる２管固定装置を提供すること。【解決手段】管固定治具１０は、一次側管挿入孔１２と二次側管挿入孔１３とを一端を開口した長孔状に直交して形成する本体プレート１１を備えている。一次側管挿入孔１２付近に一次側管把持部１４を配置し、二次側管挿入孔１３付近に二次側管把持部１５を配置する。二次側管把持部１５は、第１可動把持部材１５１と第２可動把持部材１５２と可動把持部材１５２を回動可能に支持する支持レバー１５３と支持レバー１５３を回動作用する作用レバー１５４とを備えている。第１可動把持部材１５１、第２可動把持部材１５２、支持レバー１５３、作用レバー１５４はそれぞれ枢着点Ｐ１、Ｐ２、Ｐ３、Ｐ４で枢着され、リンク機構を構成している。【選択図】図１
2006170711.tif 000002
【特許請求の範囲】
【請求項１】
家庭内にガスを送給するガス配管経路の中間部に配管されたガス配管器具には供給側の一次側配管口と排出側の二次側配管口がそれぞれ形成され、前記一次側配管口はガス供給源側に繋がる一次側配管に接続され、前記二次側配管口は家庭内のガス器具側に繋がる二次側配管に接続され、前記ガス配管器具の着脱の際に前記一次側配管と前記二次側配管とを固定するガス配管器具の交換時における２管固定装置であって、
前記一次側配管の管部材を挿入する一次側管挿入孔と、前記二次側配管の管部材を挿入する二次側管挿入孔と、前記一次側配管の管部材を把持する一次側管把持部と、前記二次側配管の管部材を把持する二次側管把持部と、を備えて構成され、
前記一次側管挿入孔と前記二次側管挿入孔とが、略直交する方向に一端を開口する長孔状に形成されていることを特徴とするガス配管器具の交換時における２管固定装置。
【請求項２】
前記一次側管挿入孔又は前記二次側管挿入孔のいずれか一方が円弧状の長孔に形成され、他方が直線状の長孔に形成されていることを特徴とする請求項１記載のガス配管器具の交換時における２管固定装置。
【請求項３】
前記一次側管把持部又は前記二次側管把持部のいずれかの管把持部には、管部材を把持する第１可動把持部と第２可動把持部と前記第２可動把持部を支持する支持部と前記支持部を回動して前記管部材を把持する作用部とを有し、前記第１可動把持部と前記第２可動把持部と前記支持部と前記作用部とでリンク機構を構成するとともに、前記リンク機構が、前記管部材を前記管挿入孔に挿入すると同時に前記第１可動把持部と前記第２可動把持部が把持位置付近に到達するように構成することによって、可動把持部の早送り機構を構成することを特徴とする請求項１又は２記載のガス配管器具の交換時における２管固定装置。
【請求項４】
家庭内にガスを送給するガス配管経路の中間部に配管されたガス配管器具には供給側の一次側配管口と排出側の二次側配管口がそれぞれ形成され、前記一次側配管口はガス供給源側に繋がる一次側配管に接続され、前記二次側配管口は家庭内のガス器具側に繋がる二次側配管に接続され、前記ガス配管器具の着脱の際に前記一次側配管と前記二次側配管とを固定するガス配管器具の交換時における２管固定方法であって、
前記一次側配管の管部材を挿入する一次側管挿入孔と、前記二次側配管の管部材を挿入する二次側管挿入孔と、前記一次側配管の管部材を把持する一次側管把持部と、前記二次側配管の管部材を把持する二次側管把持部と、を備えて構成され、
前記一次側管挿入孔は一端を開口する直線状の長孔に形成され、前記二次側管挿入孔は一端を開口する円弧状の長孔に形成され、前記一次側管挿入孔と前記二次側管挿入孔とが、略直交する方向に一端を開口する長孔状に形成され、
前記一次側管挿入孔に前記一次側配管の一次側管部材を挿入した後、前記一次側管部材を中心にして前記二次側管挿入孔を前記二次側配管の管部材に対向する位置に回動させ、その後、前記二次側管挿入孔に前記二次側配管の管部材を挿入することを特徴とするガス配管器具の交換時における２管固定方法。                                                                                
【発明の詳細な説明】
【技術分野】
【０００１】
この発明は、ガス供給源から家庭内に配管されるガス配管経路途中のガス配管器具、例えば、ガスメータの交換時における既設配管を固定するためのガス配管器具の交換時における２管固定装置に関する。
【背景技術】
【０００２】
従来、例えばガスメータを交換する場合、既設のガスメータを既設配管から取り外すと、既設の配管は経年変化で配管全体に応力が加わっていて、ガスメータの一次側配管口と二次側配管口に接続する管のピッチずれが生じていた。このピッチずれが生じるとガスメータの交換作業時における作業時間を大幅に増やすことになることから、従来においては特許文献１に示すような対策が行われていた。
【０００３】
これによると、既設のガスメータが装着されている状態で既設のガスメータの一次側配管口と二次側配管口とに接続された配管部材に２管固定装置を取り付けて固定し、その後既設のガスメータを取り外して新規のガスメータを取り付けるようにしていた。そして、新規のガスメータにおける各種の検査を行った後、２管固定装置を取り外すようにしていた。
【０００４】
従って、新規のガスメータの装着の際、ガスメータの一次側配管口と二次側配管口とに接続する配管部材のピッチが固定されていることによって、新規のガスメータの一次側配管口と二次側配管口とを容易に既設配管に接続することができ、作業時間を大幅に短縮することができるようになっていた。
【特許文献１】特許第３４０１６４２号公報（３〜８頁、図３又は図６参照）
【発明の開示】
【発明が解決しようとする課題】
【０００５】
しかし、特許文献１に記載されている２管固定装置は、既設のガス配管経路中の一次側配管に接続する一次側管用継手の管用継手、及び二次側配管に接続する二次側管用継手の管用継手がストレートに形成されている場合に好適に使用することができるものであった。つまり、特許文献１に示されている管用継手は、各種の配管形態における一形態の配管状態を示す場合に好適に使用されるものであり、２管固定装置の一対の把持部間のピッチは、ガスメータの一対の配管口間のピッチと僅かなピッチずれはあるものの略一致している。しかし、一般的には、図９に示すように、管用継手は、一端に対して他端が偏心できる形状、つまり屈曲して形成されている。そのため、ガスメータを取り外した後の既設配管における一対の接続口間のピッチは、ガスメータの一次側配管口と二次側配管口とのピッチと大きくずれて（通常では１０〜２０ｍｍ）一致していない場合が多い。このような管用継手を使用している既設配管では、特許文献１に示す従来の２管固定装置は、小さなピッチずれは吸収できても大きなピッチずれを吸収することができず使用することができない場合が多かった。
【課題を解決するための手段】
【０００６】
この発明は、上述の課題を解決するものであり、既設のガス配管経路に使用されている管用継手が屈曲して偏心可能に形成されることによって、管用継手間のピッチがガス配管器具の配管口間のピッチとの大きなずれを生じさせるものであっても使用できるガス配管器具の交換時における２管固定装置を提供することを目的とし、その目的を達成するために、以下のように構成するものである。すなわち、
請求項１記載の発明では、家庭内にガスを送給するガス配管経路の中間部に配管されたガス配管器具には供給側の一次側配管口と排出側の二次側配管口がそれぞれ形成され、前記一次側配管口はガス供給源側に繋がる一次側配管に接続され、前記二次側配管口は家庭内のガス器具側に繋がる二次側配管に接続され、前記ガス配管器具の着脱の際に前記一次側配管と前記二次側配管とを固定するガス配管器具の交換時における２管固定装置であって、
前記一次側配管の管部材を挿入する一次側管挿入孔と、前記二次側配管の管部材を挿入する二次側管挿入孔と、前記一次側配管の管部材を把持する一次側管把持部と、前記二次側配管の管部材を把持する二次側管把持部と、を備えて構成され、
前記一次側管挿入孔と前記二次側管挿入孔とが、略直交する方向に一端を開口する長孔状に形成されていることを特徴とするものである。
【０００７】
請求項２記載の発明では、前記一次側管挿入孔又は前記二次側管挿入孔のいずれか一方が直線状の長孔に形成され、他方が円弧状の長孔に形成されていることを特徴としている。
【０００８】
請求項３記載の発明では、前記一次側管把持部又は前記二次側管把持部のいずれかの管把持部には、管部材を把持する第１可動把持部と第２可動把持部と前記第２可動把持部を支持する支持部と前記支持部を回動して前記管部材を把持する作用部とを有し、前記第１可動把持部と前記第２可動把持部と前記支持部と前記作用部とでリンク機構を構成するとともに、前記リンク機構が、前記管部材を前記管挿入孔に挿入すると同時に前記第１可動把持部と前記第２可動把持部が把持位置付近に到達するように構成することによって、可動把持部の早送り機構を構成することを特徴としている。
【０００９】
請求項４記載の発明では、家庭内にガスを送給するガス配管経路の中間部に配管されたガス配管器具には供給側の一次側配管口と排出側の二次側配管口がそれぞれ形成され、前記一次側配管口はガス供給源側に繋がる一次側配管に接続され、前記二次側配管口は家庭内のガス器具側に繋がる二次側配管に接続され、前記ガス配管器具の着脱の際に前記一次側配管と前記二次側配管とを固定するガス配管器具の交換時における２管固定方法であって、
前記一次側配管の管部材を挿入する一次側管挿入孔と、前記二次側配管の管部材を挿入する二次側管挿入孔と、前記一次側配管の管部材を把持する一次側管把持部と、前記二次側配管の管部材を把持する二次側管把持部と、を備えて構成され、
前記一次側管挿入孔は一端を開口する直線状の長孔に形成され、前記二次側管挿入孔は一端を開口する円弧状の長孔に形成され、前記一次側管挿入孔と前記二次側管挿入孔とが、略直交する方向に一端を開口する長孔状に形成され、
前記一次側管挿入孔に前記一次側配管の一次側管部材を挿入した後、前記一次側管部材を中心にして前記二次側管挿入孔を前記二次側配管の管部材に対向する位置に回動させ、その後、前記二次側管挿入孔に前記二次側配管の管部材を挿入することを特徴とするものである。
【発明の効果】
【００１０】
本発明のガス配管器具の交換時における２管固定装置は、請求項１記載の発明によれば、既設配管である一次側配管と二次側配管のそれぞれの管用継手の接続口のピッチが、ガス配管器具の一次側配管口と二次側配管口とのピッチと異なるものであっても、容易に装着することができる。つまり、既設のガス配管器具を取り外す前に、一次側管挿入孔に一次側管部材を挿入し、その後、一次側管部材を中心にして一次側管挿入孔と略直交する方向に形成された二次側管挿入孔を二次側管部材に対向する位置に回動した後、二次側管挿入孔を二次側管部材に向かって進入させて二次側管部材を二次側管挿入孔に挿入する。
【００１１】
この際、長孔に形成された一次側管挿入孔に挿入されている一次側管部材が、ピッチずれの分、一次側配管挿入孔に沿って相対的に移動することによって位置決めされる。そして、２管固定装置が位置決めされた状態でそれぞれの管把持部において管部材を把持する。
【００１２】
これによって、一次側配管と二次側配管間のピッチが、ガス配管器具の一次側配管口と二次側配管口との間のピッチと大きくずれていても、ピッチずれの分は直線状の長孔に形成された一次側管挿入孔内を移動することによって吸収されることから、２管固定装置で一次側配管と二次側配管とを固定することができる。
【００１３】
２管固定装置が既設配管に装着できれば、既設のガス配管器具を新規のガス配管器具に交換する。この際、２管固定装置を既設配管に装着した状態で所定の検査を行うこととなる。そして、新規のガス配管器具を装着してすべての検査を行った後、２管固定装置を既設配管から取り外す。
【００１４】
上述のように、ガス配管器具の交換の際、２管固定装置で既設配管を固定することによって、その後の検査を容易に行なうことができ、ガス配管器具の交換作業を短時間で行うことができる。
【００１５】
請求項２記載の発明によれば、略直交する方向に形成されている一次側管挿入孔と二次側管挿入孔のうち、例えば、一次側管挿入孔を直線状の長孔に形成して二次側管挿入孔を円弧状の長孔に形成すれば、二次側管挿入孔を二次側管部材に向かって進入させる際、二次側管挿入孔は一次側管部材を中心にして回動することになるから二次側管部材は二次側管挿入孔の両壁に干渉することなくスムーズに挿入することができる。しかも一次側管挿入孔の直線状の長孔は、一次側管部材の直線的な移動によりピッチずれを吸収することができる。
請求項３記載の発明によれば、一次側管把持部と二次側管把持部のうちいずれかの管把持部は、リンク機構に構成されて管部材を短時間で把持することができる。つまり、管挿入孔に管部材を挿入すると同時に、第１可動把持部と第２把持部材とを管部材の把持位置付近に到達するように、リンク機構を構成することによって、一対の可動把持部の早送り機構を構成することができる。その後、作用部の作用で支持部を回動させて第２把持部材で管部材を把持させるから、例えば、作用部を作用させるものがねじ部材であれば、ねじを締め付けるストロークを小さくして全体をコンパクトに構成することができる。
【００１６】
請求項４記載の発明によれば、請求項１記載の発明と同様、既設のガス配管器具を取り外す前に、一次側管挿入孔に一次側配管の管部材を挿入し、その後、一次側管部材を中心にして一次側管挿入孔と略直交する方向に形成された二次側管挿入孔を二次側管部材に対向する位置に回動した後、二次側管挿入孔を二次側管部材に向かって進入させて二次側管部材を二次側管挿入孔に挿入する。この際、長孔に形成されている一次側管挿入孔に挿入されている一次側配管の管部材が、ピッチずれの分、一次側配管挿入孔に沿って相対的に移動することによって位置決めされる。そして、２管固定装置が位置決めされた状態でそれぞれの管把持部において管部材を把持する。
【００１７】
これによって、一次側配管と二次側配管間のピッチが、ガス配管器具の一次側配管口と二次側配管口との間のピッチと大きくずれていても、ピッチずれの分は直線状の長孔に形成された一次側管挿入孔内を移動することによって吸収されることから、２管固定装置で一次側配管と二次側配管とを固定することができる。
【００１８】
また、円弧状の長孔に形成されている二次側管挿入部は、管部材を挿入する際、管部材が二次側管挿入部の両壁部に干渉することなくスムーズに移動することができる。
【００１９】
上記のように、ガス配管器具の交換の際、既設配管を固定することによって、その後の検査を容易に行なうことができ、ガス配管器具の交換作業を短時間で行うことができる。
【発明を実施するための最良の形態】
【００２０】
以下、この発明の一実施形態を図面に基づいて説明する。以下の説明する２管固定装置（以下、管固定治具という）では、既設のガス配管器具（以下、ガスメータと言う。）を新規のガスメータに交換する作業に使用するものとして説明するが、これに限定するものではなく、配管口が並設して形成されている他のガス配管器具を着脱させる場合でも同様に使用できるものである。
【００２１】
ガスメータ１は、図９に示すように、屋外の既設配管５に配置され、ガス供給源３からガス栓４を介して接続される一次側配管５Ａと、家屋内に配置されているガス器具６に接続される二次側配管５Ｂとに接続されている。
【００２２】
ガスメータ１には、一次側配管５Ａに対して屈曲して形成された一次側管用継手７Ａ（７）に接続される一次側配管口２Ａと、二次側配管５Ｂに対して屈曲して形成された二次側管用継手７Ｂ（７）に接続される二次側配管口２Ｂとが形成されている。なお、一次側配管５Ａと一次側管用継手７Ａ、又は二次側配管５Ｂと二次側管用継手７Ｂとは、それぞれ接続配管部材（以下、図例においてエルボという。）８（一次側エルボ８Ａ、二次側エルボ８Ｂ）で接続されている。
【００２３】
管固定治具１０は、一次側配管５Ａの一次側エルボ８Ａと二次側配管５Ｂの二次側エルボ８Ｂ間のピッチ（以下、既設配管側ピッチという。）Ｌ１がガスメータ１の一次側配管口２Ａと二次側配管口２Ｂ間のピッチ（以下、ガスメータ側ピッチという。）Ｌ２との大きなピッチずれ（約１０〜２０ｍｍ程度）を生じていても、容易に既設配管５に着脱できるものである。
【００２４】
管固定治具１０は、図１に示すように、略矩形板状に形成されるとともに長孔状に形成された一次側管挿入孔１２と二次側管挿入孔１３を有する本体プレート１１と、一次側管挿入孔１２付近に配置する一次側管把持部１４と、二次側管挿入孔１３付近に配置される二次側間把持部１５と、本体プレート１１を上面から覆う図示しないカバーとから構成されている。
【００２５】
一次側管挿入孔１２は、本体プレート１１の長手方向に対して直線状の長孔に形成されるとともに、一端（図において左端）が開口して形成されている。二次側管挿入孔１３は、一次側管挿入孔１２に対して略直交する方向に形成されるとともに、一端（図において上端）が開口する円弧状の長孔に形成されている。円弧状に形成された二次側管挿入孔１３は、一次側管挿入孔１２に挿入される一次側エルボ８Ａを中心として描かれる円弧状に形成されている。なお、二次側管挿入孔１３の元部（反開口側）の仮想円弧中心位置は一次側管挿入孔１２の軸方向における中心線の略延長線上に形成されている。
【００２６】
一次側管把持部１４は、一次側管挿入孔１２に対して直交する方向に相対向する位置に配置された固定把持部材１４１と可動把持部材１４２とを有している。固定把持部材１４１は、図１において一次側管挿入孔１２の上方の位置に本体プレート１１に固着して配置され、可動把持部材１４２は、図１において一次側管挿入孔１２の下方に固定把持部材１４１に対して接近離隔する方向に移動可能に配置されている。可動把持部材１４２の移動方向に対する両側にはガイド部材１４３、１４３が配置されて可動把持部材１４２の直線上の動きを案内している。
【００２７】
また、可動把持部材１４２は本体プレート１１に固着された支持台１６に螺合状態で配置された操作ノブ１７によって固定把持部材１４１に対して接近離隔する方向に移動される。
【００２８】
なお、固定把持部材１４１と可動把持部材１４２とは把持するものがエルボ（配管部材）８であることから、エルボ８を確実に把持するために把持部においては波状の歯部を有していることが望ましい。
【００２９】
二次側管把持部１５は、第１可動把持部材１５１と、第２可動把持部材１５２と、第２可動把持部材１５２を回動可能に支持する支持レバー１５３と、支持レバー１５３及び第１可動把持部材１５１に回動可能に連結する作用レバー１５４とを備えて、リンク機構を構成して二次側エルボ８Ｂを把持する時間を早めている。
【００３０】
第１可動把持部材１５１は、把持部１５２ａを有して二次側エルボ８Ｂを把持可能に形成されている。また、背部に本体プレート１１に固着された上下のストッパ部材１８、１９に当接される上下の当接面１５１ｂ、１５１ｃを有している。さらに、把持部１５１ａは第２可動把持部材１５２の把持部１５２ａと対向して配置され、第１可動把持部材１５１の上部が本体プレート１１に枢着点Ｐ１で枢着されるとともに下部が作用レバー１５４の一端に枢着点Ｐ２で枢着されている。なお、ストッパ部材１８、１９は第１可動把持部材１５１の右方への移動を規制するものであり、また第１可動把持部材１５１の上部の当接面１５１ｂは下部の当接面１５１ｃに対して傾斜して形成され、第１可動把持部材１５１が枢着点Ｐ１に対して回動する際の角度規制をしている。さらに把持部１５１ａは波状の歯部を有して形成されていることが望ましい。
【００３１】
第２可動把持部材１５２は、支持レバー１５３の一端に枢着点Ｐ３で枢着されて把持部１５２ａを有して二次側エルボ８Ｂを把持可能に形成されている。なお、把持部１５２ａは波状の歯部を有して形成されていることが望ましい。
【００３２】
第２可動把持部材１５２を上部の一端に枢着する支持レバー１５３は、中央部で作用レバー１５４の一端に枢着点Ｐ４で枢着されている。支持レバー１５３の下部は、後述の操作ノブ２３の先端で押圧される作用面１５３ａとして形成され、背部は上下に配置されたストッパ部材２０、２１に当接する当接面１５３ｂ、１５３ｃとして形成されている。ストッパ部材２０、２１は、支持レバー１５３の左方への回動を規制している。
【００３３】
作用レバー１５４は、水平部１５４ａと略垂直部１５４ｂを有して略Ｔ字状に形成されている。水平部１５４ａの一端（図１中、左端）は支持レバー１５３の略中央部に枢着点Ｐ４で枢着され、水平部１５４ａの他端（図１中、右端）は第１可動把持部材１５１の下部に枢着点Ｐ２で枢着されるとともに下面に上下方向の移動を規制するストッパ部材２２に当接する当接面１５４ｃを形成している。略垂直部１５４ｂは、下部において支持レバー１５３の作用面１５３ａに対向する位置に操作ノブ２３を螺合状態で配置している。
【００３４】
なお、支持レバー１５３は水平面の動きをするためにガイド部材２４、２４で上下面がガイドされ、作用レバー１５４は同様にガイド部材２５で上下面がガイドされている。
【００３５】
上記のように構成された二次側管把持部１５は、図２〜４に示すような作用を行う。
【００３６】
図２は、二次側エルボ８Ｂを二次側管挿入孔１３に挿入するための第１の位置であり、二次側管挿入孔１３の開口側が二次側エルボ８Ｂに対向した位置にある。この状態では、第１可動把持部材１５１は、枢着点Ｐ１を中心にして時計方向に回動して傾倒されているものであり、当接面１５１ｂがストッパ部材１８に当接して第１可動把持部材１５１の回動角度が規制されている。また、支持レバー１５３は、上下の当接面１５３ｂ、１５３ｃが、ストッパ部材２０、２１に当接され左方への移動を規制されている。そのため、第２可動把持部材１５２は、左方へ移動して把持部１５２ａと第１可動把持部材１５１との間隔を大きくしている。この状態において、二次側管挿入孔１３を二次側エルボ８Ｂに向かって進入させて二次側エルボ８Ｂを二次側管挿入孔１３に挿入する。
【００３７】
次に、二次側エルボ８Ｂを二次側管挿入孔１３に挿入すると、二次側エルボ８Ｂにより、第１可動把持部材１５１を押圧することによって図３に示すようにリンク機構が作用される。
【００３８】
つまり、第１可動把持部材１５１は背部の当接面１５１ｃがストッパ部材１９に当接され、枢着点Ｐ２の右方への移動により作動レバー１５４の水平部１５４ａ右端部が枢着点Ｐ２の周りで回動されながら右方に移動される。同時に支持レバー１５３の左端部が枢着点Ｐ４の周りを回動しながら第２可動把持部１５２を伴って右方に移動される。そのため、支持レバー１５３の背部の当接面１５３ｂ、１５３ｃはストッパ部材２０、２１に当接されていない離れた位置となる。この際、作用レバー１５４の水平部１５４ｂにおける当接面１５４ｃは、ストッパ部材２２によって下方への移動が規制される。
【００３９】
また、第２可動把持部材１５２の把持部１５２ａは右方への移動により二次側エルボ８Ｂに急接近して二次側エルボ８Ｂを把持する寸前に移動する。
【００４０】
図４は、二次側エルボ８Ｂを把持する作用を示すものであり、図３に示す状態から作用レバー１５４の略垂直部１５４ｂに螺合されている操作ノブ２３を締め込む。操作ノブ２３の先端部が支持レバー１５３の作用面１５３ａを押圧すると、支持レバー１５３は、作用レバー１５４が第１可動把持部材１５１に枢着点Ｐ２で連結され、第１可動把持部材１５１がストッパ部材１９で移動を規制されていることから、第２可動把持部材１５２を伴って枢着点Ｐ４を中心にして時計方向に回動する。この際、支持レバー１５３の作用面１５３ａと枢着点Ｐ４との距離を第２可動把持部材１５２の把持部１５２ａと枢着点Ｐ４との距離より長く形成すれば「てこ」の原理により小さい力で強く把持することができる。
【００４１】
一方、第２可動把持部材１５２は、枢着点Ｐ３で枢着されていることから、支持レバー１５３の回動にしたがって把持部１５２ａを二次側エルボ８Ｂに接近させる。第２可動把持部材１５２が二次側エルボ８Ｂに対して２点で把持するように形成することによって、第２可動把持部材１５２は枢着点Ｐ３の周りを回動しながら、二次側エルボ８Ｂの自由の位置で把持することになり、操作ノブ２３の更なる締め込みによって、二次側エルボ８Ｂを強固に把持することとなる。
【００４２】
上記のように、二次側管把持部１５のリンク機構では、二次側管挿入孔１３に二次側エルボ８Ｂを挿入することによって、第１可動把持部材１５１と第２可動把持部材１５２とを二次側エルボ８Ｂの把持位置付近に瞬時に移動させることができることから、操作ノブ２３で締め込むストロークを少なくすることができ、それによって、二次側エルボ８Ｂの締め付け時間を短縮するとともに２管固定装置全体の構成をコンパクトにすることができる。
【００４３】
次に、管固定治具１０の作用を図５〜７に基づいて説明する。
【００４４】
管固定治具１０を既設配管５に装着する場合、既設のガスメータ１を取り外す前に管固定治具１０の装着作業を行う。まず、図５に示すように、本体プレート１１の一次側管挿入孔１２の開口側を一次側エルボ８Ａに対向する位置に向けた後、一次側管挿入孔１２を一次側エルボ８Ａに向かって進入させて一次側エルボ８Ａを一次側管挿入孔１２に挿入する。この状態では、一次側管把持部１４においては、可動把持部１４２は固定把持部１４１に対して接近することなく一次側エルボ８Ａを把持しない離れた位置にある。また、二次側管把持部１５においては、図２に示す状態であり、第１可動把持部１５１は枢着点Ｐ１で回動してストッパ部材１９に対して傾倒された位置にあり、支持レバー１５３の背部当接面１５３ｂ、１５３ｃはストッパ部材２０、２１に当接している。
【００４５】
次に、図６に示すように、一次側管挿入孔１２に挿入されたエルボ８Ａを中心にして本体プレート１１を反時計方向に回転して二次側管挿入孔１３の開口側を二次側エルボ８Ｂに対向する位置に移動させる。この際、一次側管把持部１４において、回転中心となる一次側エルボ８Ａと一次側管挿入孔１２との間のガタが大きい場合には、可動把持部材１４２が固定把持部材１４１側に移動させて一次側エルボ８Ａを仮締め程度に締め付けておいてもよい。
【００４６】
そして、図７に示すように、二次側管挿入孔１３を二次側エルボ８Ｂに進入させて二次側エルボ８Ｂを二次側管挿入孔１３に挿入する。この際、一次側エルボ８Ａは既設配管側ピッチＬ１のずれ又はエルボ８の外径の誤差がある分、一次側管挿入孔１２の長孔に沿って移動する。
【００４７】
一次側管挿入孔１２と二次側管挿入孔１３のそれぞれに一次側エルボ８Ａと二次側エルボ８Ｂが挿入されると、一次側管把持部１４において、操作ノブ１７で締め込むことによって、可動把持部材１４２を固定把持部材１４１に向かって移動させて一次側エルボ８Ａを把持し、二次側管把持部１５においては、リンク機構で構成された二次側管把持部１５を前述の二次側管把持部１５の作用に基づいて第１可動把持部材１５１と第２可動把持部材１５２とを早送りで二次側エルボ８Ｂに接近するとともに、第２可動把持部材１５２を第１可動把持部材１５１に向かって移動させて二次側エルボ８Ｂを把持する。そして、一次側管把持部１４において操作ノブ１７を増し締めして一次側エルボ８Ａを強固に把持する。これによって、図８に示すように管固定装置１０が既設配管５に装着される。
【００４８】
管固定治具１０を既設配管５に装着すれば、その後、既設のガスメータ１に関する設定された各種の検査を行って既設のガスメータ１を新規のガスメータ１に交換することとなる。そして、新規のガスメータ１に交換し、さらに、新規のガスメータ１に関する所定の検査を行った後、管固定治具１０を、前述の装着作用と逆の作用を行って取り外すこととなる。
【００４９】
上述のように、管固定治具１０を上述の構成及び作用で既設配管５に着脱することにより、管用継手７が屈曲して形成されているものであっても、既設配管５を固定することができる。そして、既設配管５を固定することによって、既設のガスメータ１を新規のガスメータに交換する際、新規のガスメータを容易に装着できることから交換作業を短時間で行なうことができる。しかも、管固定治具１０は、ガスメータを交換した後に、既設配管５から取り外すことができることから、１セットの管固定治具１０を製作することによって、何度でもガスメータの交換作業に使用できる。
【００５０】
なお、本発明の２管固定装置は、上記の実施形態又の形状や構成に限定するものではない。例えば、二次側管把持部に早送り機構を設けるものでなくてもよく、また、二次側管把持部１５におけるリンク機構に早送り機構を設ける場合に、第１可動把持部１５１と第２可動把持部１５２とが早送りで、把持される管部材に接近できる構成であれば、他の構成でもよい。
【００５１】
さらに、一次側把持部１４に二次側把持部１５のリンク機構の構成を採用して、一次側把持部１４と二次側把持部１５とを逆の構成にしてもよい。
【００５２】
また、新規のガスメータを装着する際に、新規のガスメータ１の各種の検査を行いながら新規のガスメータＩを既設配管５に装着する場合に、作業を行いやすいように、本体プレート１１にガスメータ吊下装置を取り付けるように構成してもよい。
【００５３】
さらに、この管固定治具１０は、ガスメータ１と既設配管５とを接続する管用継手７が屈曲したものではなくストレートに形成されたものであっても、勿論使用することができる。特にこの管固定治具１０は、全体がコンパクトに構成されていることから、既設配管５が狭い場所に配管されていても容易に着脱することができる。
【図面の簡単な説明】
【００５４】
【図１】本発明による一形態の管固定治具を示す平面図である。
【図２】図１における二次側管把持部の第１の位置を示す作用図である。
【図３】同第２の位置を示す作用図である。
【図４】同第３の位置を示す作用図である。
【図５】図１における管固定装置の挿入作用を示す第１の作用図である。
【図６】同第２の作用図である。
【図７】同第３の作用図である。
【図８】管固定治具を既設配管に装着した状態を示す正面図である。
【図９】一般的な既設配管を示す簡略図である。
【符号の説明】
【００５５】
１、ガスメータ（ガス配管器具）
２Ａ、一次側配管口
２Ｂ、二次側配管口
５Ａ、一次側配管
５Ｂ、二次側配管
７Ａ、一次側管用継手
７Ｂ、二次側管用継手
８Ａ、一次側エルボ（管部材）
８Ｂ、二次側エルボ（管部材）
１０、管固定治具（２管固定装置）
１１、本体プレート
１２、一次側管挿入孔
１３、二次側管挿入孔
１４、一次側管把持部
１５、二次側管把持部
１５１、第１可動把持部材
１５２、第２可動把持部材
１５３、支持レバー（支持部）
１５４、作用レバー（作用部）
Ｐ１、Ｐ２、Ｐ３、Ｐ４、枢着点
【図１】
2006170711.tif 000003
【図２】
2006170711.tif 000004
【図３】
2006170711.tif 000005
【図４】
2006170711.tif 000006
【図５】
2006170711.tif 000007
【図６】
2006170711.tif 000008
【図７】
2006170711.tif 000009
【図８】
2006170711.tif 000010
【図９】
2006170711.tif 000011